(57)【要約】【課題】本発明は、小型化に有利になり、摩擦強さが優れる電気コネクタを提供する。【解決手段】本発明の電気コネクタは、基部と、基部から前向きに延在するように形成される舌板部とを含むインシュレータと、前記インシュレータの舌板部にそれぞれ装着する導電端子と、天板と、底板と、前記天板及び底板を連接する側板とを有し、前記インシュレータを覆っているシールドケースとを含む電気コネクタにおいて、前記インシュレータの舌板部の両端と前記シールドケースの側壁とを所定距離だけ離隔し、前記舌板部の両端側壁と、前記シールドケースの天板、底板、側板とによって、相手コネクタとの嵌合をガイドするためのガイド溝が包囲するように形成される。【選択図】図１
2008262912.tif 000002
【特許請求の範囲】
【請求項１】
基部と、基部から前向きに延在するように形成され舌板部とを含むインシュレータと、
前記インシュレータの舌板部にそれぞれ装着する導電端子と、
天板と、底板と、前記天板及び底板を連接する側板とを有し、前記インシュレータを覆っているシールドケースと
を含む電気コネクタにおいて、
前記インシュレータの舌板部の両端と前記シールドケースの側壁とを所定距離だけ離隔し、前記舌板部の両端側壁と、前記シールドケースの天板、底板、側板とによって、相手コネクタとの嵌合をガイドするためのガイド溝が包囲するように形成されることを特徴とする電気コネクタ。
【請求項２】
前記舌板部は対向した第１壁部及び第１壁部よりも短い第２壁部を含み、前記第１壁部は前記インシュレータの側壁に当接し、前記第２壁部の側壁とシールドケースの側壁とを前記所定の距離だけ離隔していることを特徴とする、請求項１に記載の電気コネクタ。
【請求項３】
前記第１壁部の第２壁部よりも長い両端部内側には凹溝がそれぞれ形成され、前記シールドケースの天板及び底板のいずれもの一方の両端部には、前記インシュレータの第１壁部の凹溝に対応するように収容する案内片がそれぞれ形成されることを特徴とする、請求項２に記載の電気コネクタ。
【請求項４】
前記ガイド溝は、その上下壁はそれぞれ前記案内片と、天板及び底板のいずれもの他方であり、一方の側壁はシールドケースの側壁であり、他方の側壁は第２壁部の側壁であることを特徴とする、請求項３に記載の電気コネクタ。
【請求項５】
前記インシュレータの後端には、導電端子の後方への移動を制限するためのベース部材が取付けられることを特徴とする、請求項１に記載の電気コネクタ。
【発明の詳細な説明】
【技術分野】
【０００１】
本発明は、電気コネクタに関し、特に、シールドケースを有する電気コネクタに関するものである。
【背景技術】
【０００２】
従来技術の電気コネクタの一例として、特許文献１に開示された電気コネクタが知られ、この従来の電気コネクタはインシュレータと、インシュレータに装着される複数の導電端子と、インシュレータを覆っているシールドケースとを含む。前記インシュレータには長手方向に沿って延出するように形成される基部と、該基部から前向きに延在するように形成される平板部とを有し、インシュレータの長手方向の両端部には、インシュレータの先端面を貫通するように形成されたガイド孔が設けられる。電気コネクタが相手コネクタに嵌合する際において、相手コネクタのガイドポストが電気コネクタのガイド孔に係合することによって、相手コネクタと電気コネクタの嵌合をロックする目的を達成できる。
【特許文献１】台湾特許第２５１３８６号公報
【発明の開示】
【発明が解決しようとする課題】
【０００３】
相手コネクタと嵌合する際に、相手コネクタのガイドポストをインシュレータのガイド孔に挿入すると、ガイドポストとガイド孔との間が直に面で接触することで、前記インシュレータが絶縁材料からなるので、繰り返しの挿入/離脱操作によってインシュレータのガイド孔の内側面が摩損する恐れがあった。また、前記ガイド孔をインシュレータの両端部に形成することで、インシュレータの両端部の所定の厚さを保証するために、インシュレータの長さが増加することが必要になり、電気コネクタの小型化に不利になっている。そこで、上述した欠点に鑑みて、新型の電気コネクタを開発することが必要である。
【０００４】
本発明は、小型化に有利になり、摩擦強さが優れる電気コネクタを提供することを目的とする。
【課題を解決するための手段】
【０００５】
前記目的を達成するために、本発明の電気コネクタは、基部と、基部から前向きに延在するように形成された舌板部とを含むインシュレータと、前記インシュレータの舌板部にそれぞれ装着する導電端子と、天板と、底板と、前記天板及び底板を連接する側板とを有し、前記インシュレータを覆っているシールドケースとを含む電気コネクタにおいて、前記インシュレータの舌板部の両端と前記シールドケースの側壁とを所定距離だけ離隔し、前記舌板部の両端側壁と、前記シールケースの天板、底板、側板とによって、相手コネクタとの嵌合をガイドするためのガイド溝が包囲するように形成される。
【発明の効果】
【０００６】
従来の技術に比べると、本発明は以下の長所がある。前記インシュレータの舌板部の両端と前記シールドケースの側壁とを所定距離だけ離隔することにより、前記相手コネクタとの嵌合をガイドするためのガイド溝がシールドケースの天板、底板、側板、インシュレータの舌板の両端側壁により包囲するように形成されるので、電気コネクタは長手方向の長さが短く、長手方向に直交する方向の高さが低いので、電気コネクタの小型化に有利になる。シールドケースの案内片によって、相手コネクタとの嵌合する時に、相手コネクタのガイドポストをガイド溝に挿入する際の摩損が有効に低減され、即ち、摩擦強さに優れる。
【発明を実施するための最良の形態】
【０００７】
図１〜図９に基づいて、本発明の電気コネクタ１００について説明する。本実施状態においては、インシュレータ１０と、インシュレータ１０を覆う金属シールドケース２０と、インシュレータ１０に対応し装着される複数の第１導電端子３０と、複数の第２導電端子４０と、インシュレータの後端に実装し、第２導電端子４０を保持するためのベース部材５０と、を含む。
【０００８】
図３乃至図５を参照すると、インシュレータ１０は、絶縁材料からなり、長手方向に沿って延出するように形成された基部１１及び基部１１から前向きに延出するように形成された舌片部１２を含み、前記舌片部１２は互いに対向した第１壁部１２１及び第２壁部１２２を有し、前記第１壁部１２１及び第２壁部１２２との間に相手コネクタと嵌合するための嵌合空間１３が形成され、前記基部１１と第１壁部１２１に連接する箇所には、前記ベース部材５０を取付けるための取付溝１１３が形成される。第１壁部１２１には、第２導電端子４０を対応するように装着するための複数の収容溝１２３が形成され、第２壁部１２２には、前記第１導電端子３０を対応するように装着するための複数の受容溝１２４が形成され、前記収容溝１２３及び受容溝１２４が基部１１を貫通するように形成される。本実施状態においては、長手方向において、第１壁部１２１は第２壁部１２２よりも長さが長くなり、第１壁部１２１の第２壁部１２２よりも長い両端部には、凹溝１２６がそれぞれ形成される。
【０００９】
図３、図５乃至図９を参照すると、前記第１導電端子３０は、金属板をプレス加工することにより製作され、インシュレータ１０の第２壁部１２２の受容溝１２４に対応するように装着し、前記嵌合収容空間１３に突出するコンタクト部３１及び前記インシュレータ１０の基部１１を突出するように形成された半田付部３２と、を有する。前記第２導電端子４０も、金属板をプレス加工することにより製作され、インシュレータ１０の第１壁部１２１の収容溝１２３に対応するように装着されると接地効果を発揮する。それぞれの第２導電端子４０は、インシュレータ１０の基部１１を保持するための保持部４１と、保持部４１から嵌合空間１３へ突出する接点部４２と、収容溝１２３に上向きに延出して収容する当接部４３と、接点部４２と当接部４３を連接するための連接部４２と、を有する。
【００１０】
前記シールドケース２０は、金属材料製のプレス成形品であり、インシュレータ１０を覆い、インシュレータ１０の第１壁部１２１及び第２壁部１２２をそれぞれ覆う天板２２及び底板２３と、天板２２及び底板２３を連接するための側板２４とを一体に成型する。前記天板２２と、底板２３及び両側壁２４により収容空間２５が形成され、前記天板２２には、長手方向の両端部に隣接した箇所から収容空間２５に突出するように天板２２と平行に延出する案内片２１がそれぞれ設けられ、天板２２の後端には複数の保持片２２１が下向きに延出するように形成される。
【００１１】
図６及び図７を参照すると、前記ベース部材５０はインシュレータ１０の取付溝１１３に実装され、第２導電端子４０の連接部４４に当接することによって、第２導電端子４０の後方への移動が制限される。前記シールドケース２０の保持片２４がベース部材５０に係合することにより、ベース部材５０がインシュレータ１０から外れることが防止できる。
【００１２】
取付けた際に、前記第１導電端子３０及び第２導電端子４０がインシュレータ１０の受容溝１２及び収容溝１２３にそれぞれ対応するように装着され、前記ベース部材５０がインシュレータ１０の取付溝１１３に実装され、第２導電端子４０の後方への移動を制限するものに用いられ、最後に、シールドケース２０がインシュレータ１０に係合し、インシュレータ１０がシールドケース２０の収容空間２５に収容され、シールドケース案内片２１がインシュレータ１０の第１壁部１２１の凹溝１２６にそれぞれ収容されるように取付けられる。シールドケース２０の保持片２２１がベース部材５０に係合し、前記第２導電端子４０の当接部４３がシールドケース２０の天板２２に当接することにより、接地効果を発揮している。
【００１３】
前記インシュレータ１０の第１壁部１２１の両端は第２壁部１２２よりも長いので、第１壁部１２１の両端面がシールドケース２０の側壁にそれぞれ当接するように接触し、第２壁部１２２の側面とシールドケース２０の側壁２４とを所定の距離だけ離隔する。これらによると、第２壁部１２２の側面と、案内片２１が取付けられた第１壁部１２１の両端部とシールドケース２０の側壁２４と、シールドケース２０の側壁２４と、前記第１壁部１２１の両端部に対向した案内片２１を設置しないシールドケース２０の底板２３とは、相手コネクタとの嵌合をガイドするためのガイド溝６０を形成する。
【００１４】
従来技術に比べて、前記ガイド溝６０は、長手方向での一方側壁がシールドケース２０の側壁２４であり、他方の側壁６２は第２壁部１２２の側壁であるので、電気コネクタ１００の長手方向の長さが短くなり、電気コネクタの小型化に有利になっている。また、ガイド溝６０の下壁６３は直ちにシールドケース２０の底板２３であるので、電気コネクタ１００の高さが低くなり、電気コネクタ１００の低背化に有利になっている。ガイド溝６０の上下壁はそれぞれシールドケース２０の案内片２１及び底板２３であり、案内片２１及び底板２３の表面は絶縁材料からなるインシュレータ１０よりも滑らかになることで、相手コネクタとの嵌合する時に、相手コネクタのガイドポストが電気コネクタ１００のガイド溝６０に挿入する際の摩損が有効に減少される。
【００１５】
以上、本発明について好ましい実施形態を参照して詳細に説明したが、実施形態はあくまでも例示的なものであり、これらに限定されるものではない。例えば、前記第１壁部及び第２壁部の長さが同じで、シールドケースの側壁と第１壁部及び第２壁部の端部とを所定の距離だけ離隔することで、シールドケースの天板、底板、側板、及び第１壁部及び第２壁部の端部によってガイド溝を形成し、勿論、案内片を底板に形成し得る。また上述の説明は、本発明に基づき成し得る細部の修正或は変更などは、いずれも本発明の請求範囲に属するものである。
【図面の簡単な説明】
【００１６】
【図１】本発明に係る電気コネクタの組立斜視図である。
【図２】本発明に係る電気コネクタの他の角度から見た組立斜視図である。
【図３】本発明に係る電気コネクタの分解斜視図である。
【図４】図１に示す電気コネクタのインシュレータとシールドケースの斜視図である。
【図５】図２に示す電気コネクタのシールドケースを外した斜視図である。
【図６】本発明に係る電気コネクタの他の角度から見た組立斜視図である。
【図７】本発明に係る電気コネクタの正面図である。
【図８】図７に示す電気コネクタのＡ-Ａ線で切断した断面図である。
【図９】図７に示す電気コネクタのＢ-Ｂ線で切断した断面図である。
【符号の説明】
【００１７】
１００  電気コネクタ
１０  インシュレータ
２０  シールドケース
３０  第１導電端子
４０  第２導電端子
５０  ベース部材
６０  ガイド溝
１２１  第１壁部
１２２  第２壁部
１２３  収容溝
１２４  受容溝
１２６  凹溝
１３  嵌合空間
２１  案内片
２２  天板
２３  底板
２４  側板
２５  収容空間
２２１  保持片
【図１】
2008262912.tif 000003
【図２】
2008262912.tif 000004
【図３】
2008262912.tif 000005
【図４】
2008262912.tif 000006
【図５】
2008262912.tif 000007
【図６】
2008262912.tif 000008
【図７】
2008262912.tif 000009
【図８】
2008262912.tif 000010
【図９】
2008262912.tif 000011